(57)【要約】【課題】かつらは、従来消臭スプレーと手洗いによる方法で手入れして、ドライヤーによる乾燥では高温にして短時間乾燥させるため、かつらが早く傷みもろくなると言う問題があった。更に、かつらの手入れは衛生管理が必要であり、これらの問題点を解決する装置を製作する。【解決手段】処理容器上部よりかつらを洗浄するためのオゾン温水をシャワー化して注ぎ、かつらを洗浄殺菌消臭する装置であって、オゾン発生部と水循環器からのオゾンを含んだ温水により洗浄殺菌消臭する。洗浄に使用した水はパイプを通じて処理槽内に送り出す水循環器により再利用する。さらに洗浄後は、オゾンを含んだ空気と加熱部を通した温風により乾燥ができるような機能を設けたかつら洗浄殺菌消臭乾燥装置。【選択図】    図4
2007016360.tif 000002
【特許請求の範囲】
【請求項１】
かつらを洗浄殺菌消臭乾燥するにあたり、処理容器内部にかつら支持部を設置しており、前記かつら支持部上にかつらを載せて、オゾンを含有する温水をシャワー化して注ぐことにより洗浄殺菌し、その後オゾン含有の温風により消臭・乾燥を行う装置において、洗浄殺菌消臭できる蓋付き処理容器とその処理容器内部にかつらを支持する部、オゾンを含む温水を上部から噴射できる噴射部と、その外部にオゾン発生部と、該オゾン発生部によりオゾンを含んだ空気の送風部と処理容器に保持している水を循環する循環部と同時に空気や水を加熱する加熱部とを備えていることを特徴とするかつら洗浄殺菌消臭乾燥装置。
【請求項２】
請求項１において、洗浄殺菌消臭できる蓋付き処理容器は内部にかつら支持部と蓋部に噴射部を保持できる容積１Ｌ〜３０Ｌであり、処理容器の材質としてステンレススチールやプラスチック等を使用し、水の保持・処理ができる処理容器であることを特徴とするかつら洗浄殺菌消臭乾燥装置。
【請求項３】
請求項１において、水噴射部はかつら支持部の上部に位置して、かつら全体にオゾン水が噴射できるノズルであり、噴射部の形状は回転式、固定式である。ノズルの孔の大きさは０.１〜３ｍｍ、ノズルの孔の数は１〜2００個を有して、かつら支持部から2０〜３００ｍｍの位置にあることを特徴とするかつら洗浄殺菌消臭乾燥装置。
【請求項４】
請求項１において、かつらを洗浄殺菌消臭できる蓋付き処理容器中で、オゾン水を噴射してかつらの汚れを洗い落した使用後の水は、カセット式のろ過器を通して循環できるようにして噴射部と処理容器を循環できるような循環部を備えていることを特徴とするかつら洗浄殺菌消臭乾燥装置。
【請求項５】
請求項１のかつら洗浄殺菌消臭乾燥装置の蓋付き処理容器内部において、オゾン水で、かつらを洗浄・殺菌して、処理容器内の水を取り除いた後、かつら支持部にあるかつらに、オゾン発生部により発生したオゾンを含んだ空気を、加熱部を通し処理容器内部に送風することにより、支持部に置いたかつらを消臭乾燥させる機能を備えていることを特徴とするかつら洗浄殺菌消臭乾燥装置。
【発明の詳細な説明】
【技術分野】
【０００１】
この発明は、水とオゾンを用いて、汚れたかつら等を簡単に洗浄殺菌消臭乾燥させるかつら等洗浄殺菌消臭乾燥装置に関する。
【背景技術】
【０００２】
従来のかつら手入れ方法は、消臭スプレーによる消臭手入れ、又は、陰干しによる殺菌。さらに、洗う場合は、かつらを洗ってドライヤーで乾かす方法を取っているが、専門技術がないとかつらが絡んで早く傷むなど問題が多いため、利用者の多くは定期的にメーカーに手入れを依頼している。
メーカーに手入れを依頼しない利用者は、かつらを手に持ち、手洗いで自分の髪と同じようにシャンプーを行いドライヤーで乾燥しているが、かつらの手入れは専門技術が難しく、手入れ不足になっており衛生管理が必用なかつらであるが、手入れ不足になっているのが現状である。
一般にかつらは水洗い、あるいはオゾン処理が行われている。しかし十分な洗浄がもたらせれていない。オゾンを使用した関連する技術は靴などの殺菌消臭を目的にしたものはある（特許文献1）。かつらについての消臭、殺菌には開発されている（特許文献2、特許文献３）。発明者が申請している（特許文献4）がある。
【０００３】
特許文献3は、オゾンを含んだ空気をかつらに吹き付け殺菌消臭する装置であり、特許文献2は、前記特許文献3のかつらを殺菌する部分に密封できるカバーを取付ける改善を行い、オゾン空気を用いてかつらの殺菌をする処理室を設けたことにより、オゾンが循環できるようにしただけのものである。
尚、発明者が前回申請している特許文献4は、水中で処理する方式のため大量の洗浄水を必要としており、今回少量の洗浄水で処理できる発明をした。現在かつらの汚れに対して水によって洗浄して、さらにオゾンによって殺菌消臭を目的にした装置は当発明者申請の装置以外存在しない。
【特許文献１】特開2004-248789号公報
【特許文献２】特開2004-332142号公報
【特許文献３】実用新案登録第3067653号公報
【特許文献４】特願2004-84257
【発明の開示】
【発明が解決しようとする課題】
【０００４】
一般にかつらの手入れは、消臭スプレーや陰干しを行う方法では、スプレーが匂うことや高価なこともあるが、殺菌や乾燥が出来ない。又、特許文献2・3の方法では、殺菌消臭が可能であるが、オゾン気体ではかつらの洗浄作用が十分ではなく、定期的に水による洗浄が必要であり、垢、汚れなどの残留物質を除去する洗浄が出来ない問題を残している。
【０００５】
又、消臭スプレーと手洗いによる方法では、手洗いすると毛髪が絡んで解けなくなり、ドライヤーによる乾燥では高温にして短時間乾燥させるため、かつらが早く傷みもろくなると言う問題を有している。  
【０００６】
本発明は、従来の方法の有するこのような問題点に鑑みてなされたものであり、その目的として、かつら等を利用者が使用しない時に、かつらを洗浄して殺菌乾燥させる事が出来るだけではなく、日常はかつら使用した後、水洗浄をしなくても、かつらを入れて本発明装置のスイッチを押せば、翌朝かつらを使用する時はオゾン含有の送風のみでも清潔になったかつら等を利用できる特徴を持つかつら等洗浄殺菌消臭乾燥装置を提供しようとするものである。
【課題を解決するための手段】
【０００７】
本発明は、かつらを洗浄殺菌消臭乾燥するにあたり、処理容器内部にかつら支持部を設置して、前記かつら支持部上に使用後のかつらを載せて、オゾンを含有する温水をシャワー化して注ぐことにより洗浄殺菌し、オゾン含有の温風により消臭・乾燥を同時に行う装置において、洗浄殺菌消臭できる蓋付き処理容器とその容器内部にかつらを支持する部、オゾンを含む温水を上部から噴射できる噴射部と、その処理容器の外部にオゾン発生部と、該オゾン発生部によりオゾンを含んだ空気の送風部と処理容器に保持している水を循環する循環部と同時に、空気や水を加熱する加熱部とを備えている。
洗浄殺菌消臭できる蓋付き処理容器は内部にかつら支持部と蓋部に水を噴射させる噴射部を保持できる容積１Ｌ〜３０Ｌの処理容器であり、望ましくは容積２L〜１０Lが最適である、この容積以外では使用上現実的ではない。また容器の材質としてステンレススチール及びプラスチック等が使用できるが、オゾンに対して強い金属、あるいは殺菌効果のある銅、銀の処理した金属を使用することができる。この処理容器は、水により防錆であり、防水効果のある水の保持・処理ができる処理容器である。
水を噴射させる噴射部はかつら支持部の上部に位置して、かつら全体にオゾン水が噴射できるノズルである、ノズルの形状は回転式、固定式があり、ノズルの孔の大きさは０．１〜３ｍｍであるが望ましくは０.３〜１ｍｍが最適である、ノズルの孔の数は１〜2００個であるが望ましくは１０〜５０個を有して、かつら支持部の上２０〜３００ｍｍの位置にある、これらの範囲以外では洗浄の効果を示さない。
かつらを洗浄殺菌消臭できる蓋付き処理容器中で、オゾン水を噴射してかつらの汚れを洗い落した使用後の水は、ろ過器を通して循環できるようにして噴射部と処理容器を循環できる循環部を備えている。
かつら洗浄殺菌消臭乾燥装置の蓋付き処理容器内部において、オゾン水で、かつらを洗浄・殺菌して、処理容器内の水を取り除いた後、かつら支持部にあるかつらに、オゾン発生部により発生したオゾンを含んだ空気を加熱部に通したオゾン含有の温風を処理容器内部に送風して、支持部のかつらを消臭・乾燥させる機能を備えている装置である。尚、かつら支持部はネット式でも支柱式でもかつらを支持できれば良い。
【０００８】
本発明のかつら洗浄殺菌消臭乾燥装置は、塩素の数倍の殺菌力を持つと言われるオゾンを、オゾン発生部で発生させ、水中や気層中でオゾンを放出し、かつらを洗浄殺菌消臭する装置である。すなわち、本発明は、処理容器内部に置いたかつらに、オゾン温水を上部噴射部よりシャワーのように注ぐ事により、かつらを洗浄、さらに殺菌消臭する装置であって、オゾン発生部と、該オゾン発生部により発生させたオゾンを含んだ空気を、パイプを通じて処理槽内に送り出すエアーコンプレッサーと、水循環器より押し出された水を混合したオゾン水を、前記処理容器の蓋に、前記パイプで連結された噴射部より噴射させる水が、前記処理容器の蓋に設けられるとともに、前記噴射部の下に、かつら支持部が設けられたかつら洗浄殺菌消臭装置である。さらに、かつらを洗浄後は水を排水した後、前記噴射部より温風を送風しかつらの乾燥が出来る。噴射部の位置は上部に取付けた方が望ましいが、この位置に限定するものではない。
【発明の効果】
【０００９】
本発明は、以上説明したように構成されているので、以下に記載されるような効果を奏する。
【００１０】
オゾン水で洗浄する事で、洗浄と同時に殺菌できる事と共に、毛髪が絡みにくくなる、毛髪をくしで解くとき引っ張らないのでネットが痛みにくくなり、かつらを長持ちさせる事が出来る。又、洗浄後の排水はろ過して循環させるので少量の水で、かつらを洗浄することが出来る。
【００１１】
オゾンを含んだ空気の殺菌消臭効果を利用する事により、汗や雑菌で汚れたかつら等を手に持たずに殺菌消臭処理出来る。しかも、装置にタイマー等を設けた時は、寝ている間にリフレッシュさせることが出来る。
【００１２】
オゾンを含んだ空気の温風を吹き込むことにより、手に持ったドライヤーを使用する事無く、スイッチ一つで簡単に殺菌乾燥させることが出来る。
【００１３】
オゾンは、自然界に存在する物質の中で最も消臭力が高く、０．１ＰＰＭ以下であれば害がない安全な物質である事から、本発明の装置は、オゾン発生濃度を０．１ＰＰＭ以下に抑える事で、かつらに付いたタバコの臭いや香水及び体臭等、ほとんどの臭いを元から安全に消臭する事が出来る。
【００１４】
本発明のかつら等洗浄殺菌消臭乾燥装置で処理する事により予備のかつらが不要になると共に、現在、予備のかつらを保有していても保管する予備のかつらを洗浄殺菌消臭処理する事で、保管中のかつらは特に梅雨時など、カビが発生しなくなると言う効果を発揮するものである。
【発明を実施するための最良の形態】
【００１５】
発明の実施の形態について図面を利用して説明する。
【００１６】
図1は本発明の概要を説明する図面である。図１、図2に於いて、ステンレス又はプラスチック等で250ｍｍ×250ｍｍ×250ｍｍ程度に作成した処理容器2の蓋3に、水を噴射する噴射部4を設ける。そして、噴射部4に接続パイプ8を用いて接続し、水循環器12とカートリッジ式のろ過機13に外部接続パイプ19で接続する、カートリッジ式のろ過機13と水タンク18は外部接続パイプ15を用いて接続する、噴射部4とオゾン発生部14の間に、サーモスタットが内蔵された加熱部24を取付ける。
既存の紫外線ランプ(低圧水銀ランプ)方式、又は、無声放電（コロナ放電）方式のオゾン発生部14（オゾン発生部14は、処理容器2の中でオゾン濃度が０．０５ＰＰＭ〜０．１ＰＰＭ確保する事が出来るオゾン発生部）をプラスチック系又はステンレスで出来たシャワー接続パイプ8に接続する、その時水が逆流しないよう逆流防止弁25をオゾンエアーと水が交差する所に接続しエアーブロアー等を用いたエアーコンプレッサー16を前記パイプ8でオゾン発生部14に連結する。さらに蓋3に設けた噴射部4の下に、ステンレス又はプラスチック等で出来たかつら支持部5を取付けることにより、かつら6のネット部分全体を温水でシャワーのように洗浄する。
水による洗浄後は、前記蓋3の前記噴射部４より洗浄水を停止したオゾンを含む温風を前記処理槽2へ噴射する事によりかつらを乾燥させる、温風は下方に吹き出させるがかつらを乾燥させた後の空気は噴射部4の周りの排気口２６より外部へ放出する。尚、前記かつら支持部5はネット状でも支柱式でもかつらが固定できれば構わない。又、噴射部4は、固定式でも回転式でもかつらに均等な洗浄水や温風を当てることが出来れば構わない。
【００１７】
図1は、処理容器の中で、かつらの汚れを落としやすくするため、かつらを裏向きにかえして洗浄中の図であり、図2は、コントロールBOXの中のパーツ構成図である。
【００１８】
図3、図4は、本発明の装置の外観を示す斜視図と透視図である。洗浄スイッチ9は、循環器12を始動させ噴射部４よりかつら6をシャワー洗浄する時使用する。洗浄時間は洗浄スイッチ9を１回押すと10分２回押すと20分３回押すと40分洗浄時間を設定できる、設定変更は洗浄時間設定ランプ22で表示する事が出来る。更に洗浄スイッチ9は、同時にオゾン発生部14とエアーコンプレッサー16を起動させることにより、オゾンを発生させオゾン水を作る、オゾンは水に溶けやすい物質の為、シャワー水の中に簡単に溶け込む。殺菌スイッチ10は洗浄しない時オゾンエアーのみを処理槽2の中に放出し殺菌消臭処理（標準時間は1時間で2時間３時間を選択できる）を行う。乾燥スイッチ11は、洗浄した場合や雨等で濡れたかつらを乾燥させるために使用する、前記乾燥スイッチ11は、１回押すと１０分２回押すと２０分３回押すと４０分間乾燥し設定変更は乾燥時間設定ランプ23で表示する事が出来る、オゾンは前記殺菌スイッチ10を押した場合と同じように作動する。処理終了は処理中ランプ21が消灯する事により知らせる事が出来る。尚、洗浄で使用した水は、前記かつら支持部5の下にある排水口20を通って前記水タンク18に戻る。
【００１９】
次に本発明装置の使用方法を説明する。図1で示すように、水を前記水タンク18の中に入れ、使用後のかつら6をネット側が上になるよう裏返して前記処理槽2の中に有る前記かつら支持部5に乗せ、前記蓋3を閉めて、前記洗浄スイッチ9を押すと水洗浄が開始される。洗浄時間は、前記洗浄スイッチ9にてかつらの状態に合わせて洗浄時間を設定する事が出来る。所要に設定した洗浄時間が過ぎると噴射部の水が止まりオゾンを含んだ温風のみ引き続き送風され、5分後にオゾン発生部14も停止し洗浄が終了する。洗浄が終了したらかつらの水分をタオル等で丁寧にふき取る。
尚、カートリッジ式ろ過器13は定期的に外して洗浄することが出来る脱着式である。
【００２０】
次に、水を用いて洗浄した後や水を用いて洗浄しない場合も、図4で示すように、使用後のかつら6を前記処理槽2の中の前記かつら支持部5に乗せ乾燥させる、乾燥時間はかつらの状態に合わせて設定し前記乾燥スイッチ11にて設定する事が出来る。オゾン発生時間は、隠しタイマースイッチ（図示せず）で1時間毎に最長3時間まで設定する事が出来る。乾燥コースは所要に設定した時間が過ぎると殺菌消臭及び乾燥のすべての工程が終了する。尚、処理するかつら6は、水洗浄時はネット側を上にし、乾燥時は逆（普段かぶる形）にした方が、かつらの汚れが取れやすくなるので好ましい。
【図面の簡単な説明】
【００２１】
【図１】処理槽にてかつらを洗浄中の図である。
【図２】コントロールBOXの中のパーツ構成図である。
【図３】本装置の外観を示す斜視図である。
【図４】本装置の透視図である
【符号の説明】
【００２２】
1  コントロールBOX
2  処理容器
3  蓋
4  噴射部
5  かつら支持部
6  かつら
8  シャワー接続パイプ
9  洗浄スイッチ
10  殺菌スイッチ
11  乾燥スイッチ
12  水循環器
13  カートリッジ式ろ過器
14  オゾン発生部
15  外部接続パイプ
16  エアーコンプレッサー
17  コントロール基板
18  水タンク
19  外部接続パイプ
20  排水口
21  処理中ランプ
22  洗浄時間設定ランプ
23  乾燥時間設定ランプ
24  加熱部
25  逆流防止弁
26  排気口
【図１】
2007016360.tif 000003
【図２】
2007016360.tif 000004
【図３】
2007016360.tif 000005
【図４】
2007016360.tif 000006